(57)【要約】【課題】シャンプー,リンス,食器洗い用洗剤などのプラスチック成型容器への詰め替え用の容器として使用されているスタンディングパウチに関し、詰め替え後のパウチをコンパクトな状態で廃棄することができる、廃棄性に優れた詰め替え用スタンディングパウチを提供すること。【解決手段】上部一隅に注出口を設けた詰め替え用パウチであって、該パウチの胴部上方シール部に開孔部を設け、開孔部より下方に左右両側の側部シール部に対応させて切り離し用ノッチを設けたことを特徴とする詰め替え用スタンディングパウチ。【選択図】図１
2010013170.tif 000002
【特許請求の範囲】
【請求項１】
上部一隅に注出口を設けた詰め替え用パウチであって、該パウチの胴部上方シール部に開孔部を設け、開孔部より下方に左右両側の側部シール部に対応させて切り離し用ノッチを設けたことを特徴とする詰め替え用スタンディングパウチ。
【請求項２】
前記開孔部が、径１０ｍｍ〜５０ｍｍであり、また切り離し用ノッチが開孔部より下方１０ｍｍ〜２０ｍｍの位置に設けられていることを特徴とする請求項１に記載の詰め替え用スタンディングパウチ。
【請求項３】
該パウチの表裏面の少なくとも一方に、詰め替え後のパウチを切り離し用ノッチから上部と下部を切り離し、胴部下方のパウチを丸めて上方の開孔部に投入し、廃棄するように誘導する図や絵等の表示を設けたことを特徴とする請求項１または２に記載の詰め替え用スタンディングパウチ。
【発明の詳細な説明】
【技術分野】
【０００１】
本発明は、シャンプー、リンス、食器洗い用洗剤などのプラスチック成形容器への詰め替え容器として使用されているスタンディングパウチに関し、詰め替え後のパウチをコンパクトに廃棄することができる、廃棄性に優れた詰め替え用スタンディングパウチに関するものである。
【背景技術】
【０００２】
従来プラスチック成型容器に充填されたシャンプー、リンス、食器洗い用洗剤などの液体が多用されているが、近年では環境への配慮から、詰め替え用の包装袋に充填された内容物を空になったプラスチック成形容器に詰め替えて再使用することが行われている。 この詰め替え用包装袋として、軟包装フィルムからなる自立性の包装袋、すなわち、スタンディングパウチが使用されているが、詰め替え後のパウチを廃棄する際、かさばってしまうなどの問題があった。
【０００３】
ラベルを予めスタンディングパウチの表面または裏面に設け、詰め替え作業後のスタンディングパウチを廃棄する際、スタンディングパウチを丸めてラベルを止めることでコンパクトに廃棄する方法（例えば、特許文献１参照）が報告されているが、生産工程が増える、コスト高になるなどの問題がある。
【０００４】
また、上端部から一側端部にかけて角隅部を切り欠いて形成されているパウチ注ぎ口突出係合部と、他側端部から構造体中心側に寄った位置で、対向する両壁面部に幅広かつ縦長な対称形の取っ手孔を切り欠いて形成されている把持部を有することを特徴とするパウチ用ホルダ（例えば、特許文献２参照）が報告されているが、これらはあくまで持ち手や注ぎ口を固定する為の孔であり、使用後のパウチを丸めて収納するのに適した大きさではない。
【０００５】
さらに、パウチ上部にフック孔が設けられているパウチ（例えば、特許文献３参照）が報告されているが、これはあくまで陳列棚などのフックに吊り下げて陳列するための穴であり、使用後のパウチを丸めて収納するのに適した大きさではない。
【特許文献１】特開平１１−１０００４９号公報
【特許文献２】特開２００３−２６７３９７号公報
【特許文献３】特開平１０−２７８９４７号公報
【発明の開示】
【発明が解決しようとする課題】
【０００６】
本発明は、シャンプー、リンス、食器洗い用洗剤などのプラスチック成形容器への詰め替え用の容器として使用されているスタンディングパウチであって、詰め替え後のパウチをコンパクトに廃棄することができる、廃棄性に優れた詰め替え用スタンディングパウチを提供することを課題とするものである。
【課題を解決するための手段】
【０００７】
本発明の請求項１の発明は、上部一隅に注出口を設けた詰め替え用パウチであって、該パウチの胴部上方シール部に開孔部を設け、開孔部より下方に左右両側の側部シール部に対応させて切り離し用ノッチを設けたことを特徴とする詰め替え用スタンディングパウチである。
本発明の請求項２の発明は、前記開孔部が、径１０ｍｍ〜５０ｍｍであり、また切り離し用ノッチが開孔部より下方１０ｍｍ〜２０ｍｍの位置に設けられていることを特徴とする
請求項１に記載の詰め替え用スタンディングパウチである。
本発明の請求項３の発明は、該パウチの表裏面の少なくとも一方に、詰め替え後のパウチを切り離し用ノッチから上部と下部を切り離し、胴部下方のパウチを丸めて上方の開孔部に投入し、廃棄するように誘導する図や絵等の表示を設けたことを特徴とする請求項１または２に記載の詰め替え用スタンディングパウチである。
【発明の効果】
【０００８】
本発明により、シャンプー、リンス、食器洗い用洗剤などのプラスチック成形容器への詰め替え用容器として使用されているスタンディングパウチであって、詰め替え後のパウチをコンパクトな状態で廃棄することができる、廃棄性に優れた詰め替え用スタンディングパウチを提供することができる。
【発明を実施するための最良の形態】
【０００９】
本発明の詰替え用スタンディングパウチの一実施形態について、図を用いて詳細に説明する。
【００１０】
図１（a）、図１（ｂ）は、本発明の一実施形態の詰替え用スタンディングパウチの正面図であり、図２は、本発明の一実施形態の詰替え用スタンディングパウチを切り離し用ノッチ位置で開封して、下部のパウチを丸めて上部の開孔部に通したときの状態を示す斜視図である。
【００１１】
本発明の詰替え用スタンディングパウチＡは、表側フィルムと裏側フィルムとを重ね合わせ、左右の側端縁部を熱融着して側部シール部Ｂを形成し、底部フィルムを折り込んで、その外周縁部を熱融着して底部シール部Ｃを形成して、自立可能にした角状のパウチである。フィルムとしては、パウチの使用目的に応じて、水蒸気バリア性や酸素バリア性の層を構成層中に有する積層フィルム、例えば、外側からポリエチレンテレフタレートフィルム／接着剤／アルミニウム箔又は酸化ケイ素などの蒸着フィルム／接着剤／ナイロンフィルム／接着剤／直鎖状低密度ポリエチレンフィルム（シーラント）の順で積層された積層フィルムなどが使用される。スタンディングパウチＡの開封予定位置の左右両側の側部シール部には切り離し用ノッチＤを設ける。
【００１２】
本発明のスタンディングパウチでは、図１に示すように、スタンディングパウチＡの胴部上方の上部シール部Ｅの上下方向の幅内の左右方向の適した位置に開孔部Ｆを設ける。
【００１３】
開孔部の形状は、円形でも横に細長い形状でもよくスリットでもよい。
この開孔部を設けることにより、充填物を詰め替えた後の空のスタンディングパウチを丸めて開孔部に入れることができ、コンパクトな状態で廃棄することが可能である。
【００１４】
この開孔部の大きさとしては、１０ｍｍ〜５０ｍｍが適しており、１０ｍｍ〜３０ｍｍがより好ましい。これより小さいと開孔部に丸めたパウチを投入することが困難であり、これより大きいと投入後のパウチが開いてしまいコンパクトな状態で廃棄することができなくなってしまう。
【００１５】
さらに、切り離し用ノッチＤの位置は開孔部Ｆより下方１０ｍｍ〜２０ｍｍの位置に設けることが望ましい。これより上に設けると、開封の際、斜めに開封してしまった場合など開孔部に切込みが入ってしまい、丸めたパウチを開孔部に投入してもパウチが開いてしまう可能性がある。また、これより下に設ければ設けるほど、一定量の内容物を充填するにあたり、スタンディングパウチ自体の大きさを大きくしなければならなくなる。
【００１６】
上述した本発明の詰替え用スタンディングパウチを廃棄する際は、スタンディングパウ
チの上方部を外袋の左右両側の側部シール部に設けられた図１に示す切り離し用ノッチＤにより破断して開口し、充填物を詰め替えた後に、たとえば、図１、図２に示すような表示Ｇにしたがって、充填物の入っていたパウチ下部の部分を丸めて開孔部Ｆ内に投入し、廃棄する。
【００１７】
パウチの表裏の少なくとも一方に廃棄方法を誘導させる表示を印刷あるいはラベルで行うことによって、使用者に対して本発明のスタンディングパウチの用い方をより一層確実に告知することができる。表示は言葉だけでもよいし、図２のような図を掲載してもよい。
【図面の簡単な説明】
【００１８】
【図１】本発明の一実施形態の詰め替え用スタンディングパウチの正面から見た説明図。
【図２】本発明の一実施形態の詰め替え用スタンディングパウチを切り離し用ノッチ位置で切り離して、下部のパウチを丸めて上部の開孔部に通したときの状態を示す説明図。
【符号の説明】
【００１９】
Ａ…スタンディングパウチ
Ｂ…側部シール部
Ｃ…底部シール部
Ｄ…切り離し用ノッチ
Ｅ…上部シール部
Ｆ…開孔部
Ｇ…廃棄するように誘導する図や絵等の表示
【図１】
2010013170.tif 000003
【図２】
2010013170.tif 000004